Podtech/llm-jp-corpus-v4-ja_patent huggingface dataset:
(57)【要約】      （修正有）【課題】男性・女性に関係なく誰でも簡単・容易にロック解除できる吊り下げホルダーを提供する。【解決手段】ワイヤーの一端を固着してなる中空状のホルダー本体内に、中心にワイヤー差込孔を設けたスライド体のワイヤー差込孔にワイヤーを貫通して差し込み、このワイヤーの外周を掴んでロックするロック機能を有する保持具を設けると共に、スライド状に移動させるための水平方向に中空状のホルダー本体より適宜突出した一体に連結したレバーによるロック解除具Ａ１を設けてなることを特徴とする。【選択図】図１
0003155239.tif 000002
【実用新案登録請求の範囲】
【請求項１】
ワイヤーの一端を固着してなる中空状のホルダー本体内に、中心にワイヤー差込孔を設けたスライド体のワイヤー差込孔にワイヤーを貫通して差し込み、このワイヤーの外周を掴んでロックするロック機能を有する保持具を設けると共に、スライド状に移動させるための水平方向に中空状のホルダー本体より適宜突出し、一体に連結したレバーによるロック解除具を設けてなることを特徴とする吊り下げホルダー。
【請求項２】
レバーの先端を丸玉状に形設してなることを特徴とする請求項１記載の吊り下げホルダー。
【請求項３】
ホルダー本体内にベルト通し等に取り付けるための取付部を設けてなる請求項１又は２記載の吊り下げホルダー。
【考案の詳細な説明】
【技術分野】
【０００１】  本考案は、キーや工具等を吊り下げ、簡単・確実に持ち歩くことができる吊り下げホルダーに関するものである。
【背景技術】
【０００２】  従来の技術として、ワイヤーの一端を固着してなる中空状のホルダー本体内に、中心にワイヤー差込孔を設けたスライド体のワイヤー差込孔にワイヤーを貫通して差し込み、このワイヤーの外周を掴んでロックするロック機能を有する保持具を設けると共に、スライド体を外部より移動させるためのロック解除具を設けてなる吊り下げホルダーがある。
（特許文献１参照）
【先行技術文献】
【特許文献１】  特願２００４−２７５６７９号公報
【考案の概要】
【考案が解決しようとする課題】
【０００３】  上記従来の技術は、本考案者が出願したもので、基本的にボールベアリングを押してスライド体を移動させるもので、男性等押圧する力のある方には好評であったが、女性では力が入れにくかった。【０００４】  よって、本考案は、特にレバーの先端を丸玉状に形設することにより、男性・女性に関係なく誰でも簡単・容易にロック解除できる吊り下げホルダーを提供することを目的とする。
【課題を解決するための手段】
【０００５】本考案は、ワイヤーの一端を固着してなる中空状のホルダー本体内に、中心にワイヤー差込孔を設けたスライド体のワイヤー差込孔にワイヤーを貫通して差し込み、このワイヤーの外周を掴んでロックするロック機能を有する保持具を設けると共に、スライド状に移動させるための水平方向に中空状のホルダー本体より適宜突出し、一体に連結したレバー（先端を丸玉状に形設する）によるロック解除具を設けてなること。ホルダー本体内にベルト通し等に取り付けるための取付部を設けてなること。
【考案の効果】
【０００６】１）、保持具の構造により、ワイヤーを差し込むだけで簡単・確実にロックできると共に、レバーによるロック解除具により、誰でも簡単・容易にロック解除できる効果がある。
２）、特に、レバーの先端を丸玉状に形設することにより、女性の方でも安全で使い易い。
３）、取付部を設けることにより持ち運びが便利である。
【図面の簡単な説明】
【０００７】
【図１】  本考案の一実施例を示す吊り下げホルダーの一部縦断正面図。
【図２】  本考案の一実施例を示す吊り下げホルダーの使用状態図。
【図３】  本考案の一実施例を示す吊り下げホルダーのロック解除具の作動状態図。
【考案の実施するための形態】
【実施例】
【０００８】  以下、この発明の実施例を図面に基いて詳細に説明する。
吊り下げホルダー１は、ワイヤー２の一端を下端外周に固着してなる適宜な長さ（２ｃｍ〜６ｃｍ位）を有する筒体による中空状のホルダー本体Ａ内下部に、挿入孔３ａ１を設けると共に、中空部３ａ２の先端方向にテーパー内面３ａ３を形成してなる中空体３内に、中心にワイヤー差込孔４ａを設け、ベアリング４ｂ−−（この実施例の場合３個）を保持する保持片４ｃ・４ｃを前後に形成すると共に、圧縮スプリング４ｄを設けた頭部４ｅをテーパー状に形成したスライド体４を内設してなるワイヤー２の外周を掴んでロックするロック機能を有する保持具５を設けると共に、スライド体４を移動させるための頭部４ｅに水平方向に中空状のホルダー本体Ａより適宜突出し、一体に連結したレバー（先端を丸玉状Ｍにすることが望ましい）によるロック解除具Ａ１を設けてなるものである。
なお、必要に応じて中空状のホルダー本体Ａの上端にズボンのベルト通しＢＴ等に係止して取り付けるべく、伸び縮みするスパイラル体６ａの上部にフック片６ｂを設けるのも一考である。【０００９】  上記のように構成した吊り下げホルダー１の使用例について下記に述べる。
例えば、ワイヤー２の他端ＴをキーＫ−−の孔Ｋ１に通した後、保持具５の中空体３の挿入孔３ａ１より挿入（矢印Ｂ１）し、スライド体４のワイヤー差込孔４ａを貫通（矢印Ｂ２）させる。
この状態で、例えば取付部６のフック片６ｂをベルト通しＢＴに係止させ、使用するものである。
なお、キーＫ−−の自重により常に下方に引っ張られていると同時に、圧縮スプリング４ｄにて常に下方に圧縮しており、ベアリング４ｂ−−はテーパー内面３ａ３の下方に位置し、常にワイヤー２の外周を掴んでロック状態になっている。
また、キーＫを交換する場合は、レバー（先端を丸玉状Ｍにすることが望ましい）によるロック解除具Ａ１を指先（図示せず）で上方に移動させることによりスライド体４のテーパー状の頭部４ｅが上方に移動し、圧縮スプリング４ｄが上昇して、ベアリング４ｂ−−がテーパー内面３ａ３より離れ、ワイヤー２を開放し、下方より引き抜くことができ、キーＫを取り外し、他のキー等と差し替えるものである。【００１０】  なお、上記実施例において、中空状のホルダー本体の大きさ・材質・透明（不透明）等は使用する目的により決定すればよい。
また、吊り下げるものはキーのみならず、現場で使用する工具（ドライバーやスパナ等）も使用でき、取付部も輪状・フック状等、色々考えられる。
さらに、取付部は上記実施例に限定せず、ベルト等に係止して取り付けるべく、逆Ｊ形の取付部を設けるのも一考である。
【符号の説明】
【００１１】  １−−−吊り下げホルダー
２−−−ワイヤー
３−−−中空体
４−−−スライド体
５−−−保持具
６−−−取付部
Ａ１−−ロック解除具
【図１】
0003155239.tif 000003
【図２】
0003155239.tif 000004
【図３】
0003155239.tif 000005
(57)【要約】      （修正有）【課題】刈り取った雑草を有効に活用することができる雑草製の敷物を提供する。【解決手段】雑草製の敷物１は、刈り取った雑草２を織り糸３によりござ状に織ってシート状に形成されている。【選択図】図１
0003155276.tif 000002
【実用新案登録請求の範囲】
【請求項１】
刈り取った雑草が織り糸によりござ状に織られてシート状をなしていることを、特徴とする雑草製の敷物。
【考案の詳細な説明】
【技術分野】
【０００１】
本考案は、雑草製の敷物に関する。
【背景技術】
【０００２】
道路脇や法面などには雑草が生い茂るため、年に１〜数回、草刈りを行っている。この草刈りで刈り取った雑草は、一般的には、トラックなどで運搬されて、ゴミとして処分されている。
ところで、従来、い草を使用したござを製造するために、ござ織機が使用されている（例えば、特許文献１参照）。
【先行技術文献】
【特許文献】
【０００３】
【特許文献１】特開平１１−１５８７４９号公報
【考案の概要】
【考案が解決しようとする課題】
【０００４】
草刈りで刈り取った雑草をゴミとして処分すると処分費用が嵩むため、この刈り取った雑草を有効に活用することが望ましい。
【０００５】
本考案は、このような課題に着目してなされたもので、刈り取った雑草を有効に活用することができる雑草製の敷物を提供することを目的とする。
【課題を解決するための手段】
【０００６】
上記目的を達成するために、本考案に係る雑草製の敷物は、刈り取った雑草が織り糸によりござ状に織られてシート状をなしていることを、特徴とする。
【０００７】
雑草製の畳が、刈り取った雑草を束ねて成る畳床の表面を、本考案に係る雑草製の敷物で覆われ、前記畳床に前記雑草製の敷物が縫い付けられて製造される。
【０００８】
本考案に係る雑草製の敷物は、刈り取った雑草をゴミとして処分することなく、敷物として有効に活用することができる。このため、雑草の処分費用を削減することができる。刈り取った雑草を束ねることにより、腐植しにくくすることができる。また、腐植しても自然に戻るため、環境にやさしい。
【０００９】
本考案に係る雑草製の敷物は、どのように利用してもよいが、例えば、雑草を刈り取った場所や、樹木の根元などに敷くのが好ましい。この場合、雑草が生えるのを抑制することができるため、草刈り回数を減らし、そのコストを削減することができる。また、雑草を刈った場所で、ベルトコンベアおよびござ織機を使用して織ることにより、草刈り後すぐに製造し、その場で使用することができる。雑草製であるため、雑草を刈り取った場所や樹木の根元などに敷くと、自然に調和して違和感を生じない。
【００１０】
使用する雑草は、例えば、一年生雑草のメヒシバ、エノコログサ、カモジグサ、カヤツリグサ、センダングサ、ヒメジョオン、ヒメムカシヨモギ、オオアレチノギク、ブタクサ、ノゲシ、オニノゲシ、ノボロギク、メマツヨイグサ、オオマツヨイグサ、オオイヌノフグリ、ツユクサ、多年生雑草のチガヤ、ススキ、オギ、イヌムギ、セイヨウタンポポ、キクイモ、ヨモギ、オオヨモギ、セイタカアワダチソウ、オオアワダチソウ、ハルジオン、ヒメスイバ、エゾノギシギシ、イタドリ、クズ、ヤブガラシ、コヒルガオ、シロツメクサ、ムラサキツメクサ、オバコ、スギナなどである。本考案に係る雑草製の敷物は、１種類の雑草から成っていても、複数種類の雑草から成っていてもよい。
【００１１】
本考案に係る雑草製の敷物は、織り糸が生分解性の材料から成ることが好ましい。この場合、刈り取った雑草とともに、織り糸も分解して自然に戻るため、環境にやさしい。生分解性の織り糸としては、例えば、腐食性の紙紐や、生分解性樹脂製の紐などを用いることができる。
【考案の効果】
【００１２】
本考案によれば、刈り取った雑草を有効に活用することができる雑草製の敷物を提供することができる。
【図面の簡単な説明】
【００１３】
【図１】本考案の実施の形態の雑草製の敷物を示す平面図である。
【考案を実施するための形態】
【００１４】
以下、図面に基づき本考案の実施の形態について説明する。
図１は、本考案の実施の形態の雑草製の敷物を示している。
図１に示すように、雑草製の敷物１は、刈り取った雑草２と織り糸３とで形成されている。
【００１５】
雑草製の敷物１は、草刈りを行う場所で製造される。雑草製の敷物１は、刈り取った雑草２を、ベルトコンベアでござ織機まで搬送し、ござ織機で織り糸３によりござ状に織ってシート状に形成されている。織り糸３は、腐食性の紙紐から成っている。
【００１６】
また、雑草製の畳が、刈り取った雑草２を腐食性の紐で束ねて成る畳床の表面を雑草製の敷物１で覆って、畳床に敷物１を縫い付けて形成されている。具体的な一例では、雑草製の畳は、幅が１．２ｍ程度、長さが２ｍ程度、厚みが２０ｍｍ程度である。
【００１７】
次に、作用について説明する。
雑草製の敷物１および雑草製の畳は、刈り取った雑草２をゴミとして処分することなく、敷物１として有効に活用することができる。このため、雑草の処分費用を削減することができる。刈り取った雑草２を束ねることにより、腐植しにくくすることができる。腐植しても自然に戻るため、環境にやさしい。また、刈り取った雑草２とともに、腐食性の織り糸３や紐も腐食して自然に戻るため、環境にやさしい。
【００１８】
雑草製の敷物１および雑草製の畳は、好適には、雑草を刈り取った場所や、樹木の根元などに敷いて使用される。この場合、雑草が生えるのを抑制することができるため、草刈り回数を減らし、そのコストを削減することができる。例えば、年に２回行っていた草刈りを、年に１〜１．５回に減らすことができる。また、雑草を刈った場所で、ベルトコンベアおよびござ織機を使用して織るため、草刈り後すぐに製造し、その場で使用することができる。雑草製であるため、雑草を刈り取った場所や樹木の根元などに敷くと、自然に調和して違和感を生じない。
【符号の説明】
【００１９】
１  雑草製の敷物
２  刈り取った雑草
３  織り糸
【図１】
0003155276.tif 000003
(57)【要約】      （修正有）【課題】後続車輌は先行する自動二輪車のアクセルグリップの状況を知ることができなかった為、微妙な速度変化を感知するのが遅れていたので追突事故を発生させる事が多くあった。先行する自動二輪車のアクセルグリップの変位による速度変化を後続車輌が素早く感知して追突事故を未然に防ぐテールライトを提供する。【解決の手段】自動二輪車のアクセルグリップの変位を感知するセンサ−を設け、その感知した変位でアクセルテ−ルライトを点滅させる事を特徴とする。【選択図】図１
0003155249.tif 000002
【実用新案登録請求の範囲】
【請求項１】
自動二輪車のアクセルグリップの変位を感知するセンサ−を設け、その感知した変位でアクセルテ−ルライトを点滅させる事を特徴とするアクセルテ−ルライト。
【考案の詳細な説明】
【技術分野】
【０００１】本考案は、自動二輪車のテ−ルライトに関する物であり，アクセルライトを自動二輪車の後ろ側に設ける事によって後続車輌に運転の状況を知らせて、追突事故が未然に防ぐ様にしたものである。
【背景技術】
【０００２】従来、自動二輪車の後ろ側に有るライトは、テ−ルライト、ブレ−キライト、方向指示ライト、ナンバ−プレ−トライト、の４種類であった。
【考案の開示】
【考案が解決しようとする課題】
【０００３】上記従来の方法によると後続車両は先行する自動二輪車のアクセルグリップの状況を知る事ができなかった為、微妙な速度変化を感知するのが遅れていたので追突事故を発生させる事が多くあった。本考案は、先行する自動二輪車の微妙な速度変化を後続車輌に素早く伝える事で突事故を未然に防ぐことを課題とする。
【課題を解決するための手段】
【０００４】この課題を解決するため請求項１の考案は、後続車輌に先行する自動二輪車のアクセルグリップの状況を素早く知らせる為に、自動二輪車の後ろ側にアクセル用テ−ルライトを設ける事で追突事故を未然に防止できる。
【考案の効果】
【０００５】本考案により、後続車輌に素早くアクセルの状況を感知させて追突事故を未然に防止出来る。
【実施例】
【０００６】  ［図１］は自動二輪車のアクセル部があるハンドルの部分図である。本考案の特徴である自動二輪車用アクセルテ−ルライトは、アクセル部にアクセルグリップの変位を感知するセンサ−スイッチを設けている、その様子を示している。【０００７】本考案の自動二輪車用アクセルテ−ルライトは、電子部品で出来ている。
【産業上の利用可能性】
【０００８】本考案に係る自動二輪車用アクセルテ−ルライトは、工業的に量産する事が可能であるため、産業上の利用可能性を多いに有する。
【図面の簡単な説明】
【０００９】
【図１】はアクセル部があるハンドルの部分図である。１はアクセルグリップの段差部分である。２はアクセルグリップの段差部分を感知する為のスイッチの可動部分である。３はスイッチ本体である。
【図２】は回路図である。３はスイッチ  ４はバッテリ−  ５はシャ−シ−へア−ス  ６はアクセルテ−ルライト
【図１】
0003155249.tif 000003
【図２】
0003155249.tif 000004
【手続補正書】
【提出日】平成21年8月24日(2009.8.24)
【手続補正１】
【補正対象書類名】明細書
【補正対象項目名】全文
【補正方法】変更
【補正の内容】
【考案の詳細な説明】
【技術分野】
【０００１】本考案は、自動二輪車のテ−ルライトに関する物であり、アクセルテ−ルライトを自動二輪車の後ろ側に設ける事によって後続車輌に運転の状況を知らせて、特に夜間雨の高速道路などの悪条件での運転疲労を軽減させ、追突事故を未然に防ぐ様にしたものである。
【背景技術】
【０００２】従来、自動二輪車の後ろ側にあるライトは、テ−ルライト、ブレ−キライト、方向指示ライト、ナンバ−プレ−トライト、ハザ−ドライト、の５種類であった。
【考案の開示】
【考案が解決しようとする課題】
【０００３】上記従来の方法によると後続車輌は先行する自動二輪車のアクセルグリップの状況を知ることが出来なかった為、微妙な速度変化を感知するのが遅れていたので特に夜間雨の高速道路などでは、とても神経を使って疲労していた、そして、追突事故を発生させる事が多くあった。本考案は、先行する自動二輪車の微妙な速度変化を後続車輌が素早く感知して悪条件での運転疲労を軽減して追突事故を未然に防ぐ事と、テ−ルライト機能がひとつ増える事で自動二輪車のデザイン性、安全機能性が増し、新規性、進歩性をより高度なものとする事を課題とする。
【課題を解決するための手段】
【０００４】この課題を解決するため請求項１、の本考案は、後続車輌に先行する自動二輪車のアクセルグリップの変位を感知するセンサ−を設け、その感知した変位でアクセルテ−ルライトを点灯、消灯させる。
【考案の効果】
【０００５】本考案により、後続車輌に素早くアクセルグリップの状況を感知させて微妙な速度変化を認識させる事で、夜間雨の高速道路など悪条件での運転疲労を軽減し追突事故を未然に防止できるそして、テ−ルライト機能がひとつ増える事で自動二輪車のデザイン性、安全機能性が増し、新規性、進歩性には絶大な効果が期待できる。
【実施例】
【０００６】図１は、自動二輪車のアクセル部があるハンドルの部分図である。アクセル部にアクセルグリップの変位を感知するセンサ−スイッチを設けている、その様子を示している。【０００７】本考案のアクセルテ−ルライトは、電子部品で出来ている。
【産業上の利用可能性】
【０００８】本考案に係るアクセルテ−ルライトは、工業的に量産する事が可能であるため、産業上の利用可能性を多いに有する。
【図面の簡単な説明】
【０００９】
【図１】はアクセル部があるハンドルの部分図である。  １はアクセルグリップの段差部分である。  ２はアクセルグリップの段差部分を感知する為のスイッチの可動部分である。  ３はスイッチ本体である。
【図２】は回路図である。  ３はスイッチ  ４はバッテリ−  ５はシャ−シ−ヘア−ス  ６はアクセルテ−ルライト
(57)【要約】      （修正有）【課題】電源コード線を収納時の安全性が高く又簡単に、楽に取り入れ、取り出しが出来る扇風機を提供する。【解決手段】ベース上面にプレス又は成形型等により凹みを設けるだけで良い簡単な構造である。電源コード線収納ボックスを、ベース上面に設ける事により、扇風機を横向け又は斜めにしなくても、簡単に収納出来る様になり、機器の損傷や人のケガ又電源コード線を踏むこと、つまずき等が解決される。【選択図】図２
0003155241.tif 000002
【実用新案登録請求の範囲】
【請求項１】
扇風機ベース上面に電源コード線が、充分収納出来る凹みを設けた構造の扇風機。
【考案の詳細な説明】
【技術分野】
【０００１】  本考案は扇風機（一般家庭用）における電源コード線収納場所位置に関するものである。
【背景技術】
【０００２】扇風機（一般家庭用）における電源コード線収納ボックスの場所は、扇風機支柱を固定するベース下部に設けられている。
【考案の概要】
【考案が解決しようとする課題】
【０００３】扇風機（一般家庭用）における電源コード線を収納しようとする時、現状の電源コード線収納ボックスは、ベース下部に設けられているため、扇風機を横向け又は斜めにしなければならない。年老いた人や体力の弱い人が行うと、扇風機が倒れ損傷したり、人がケガをしたりする可能性がある。
又一度一度収納するのが、大変なので扇風機羽根部に掛けるか、電源コード線を収納しないでそのままにしている。その為見苦しさや電源コード線を足で踏んだり、つまずいたりする。この煩わしさを解決しようとするものである。
【課題を解決するための手段】
【０００４】扇風機（一般家庭用）における、電源コード線収納ボックスの場所を、ベース上面に設ける事により問題点を解決する。
【考案の効果】
【０００５】電源コード線収納ボックスを、ベース上面に設ける事により、扇風機を横向け又は斜めにしなくても、簡単に収納出来る様になり、機器の損傷や人のケガ又電源コード線を踏むこと、つまずき等が解決される。
又扇風機に電源コード線を掛ける事がなくなり見た目にも清々しくなる。
【図面の簡単な説明】
【０００６】
【図１】電源コード線収納ボックスをベース上面に設けた扇風機概略全体図である。
【図２】電源コード線収納ボックスをベース上面に設けた拡大図である。
【考案を実施するための形態】
【０００７】扇風機ベース上面に電源コード線が充分収納出来る凹みを設ける。
【実施例】
【０００８】扇風機ベース上面に電源コード線が充分収納出来る凹みを、プレス又は成形型等で製作する。
【産業上の利用可能性】
【０００９】これからの成熟した社会においては、安全性・安心性が重要かつ必要であると考える時、利用可能性はおおいにある。
【符号の説明】
【００１０】１  羽根
２  モーター
３  スライドパイプ
４  支柱
５  電源コード線
６  ベース
７  リモコン
８  収納ボックス
【図１】
0003155241.tif 000003
【図２】
0003155241.tif 000004
(57)【要約】      （修正有）【課題】誰もが簡単に焼く事が出来る卵焼き補助具を提供する。【解決の手段】亜鉛メッキを施したる格子状の枠１を以ってなしたる縦状の桟にする。把手２が取り付けられた枠の取り付け部分が、卵焼き器の把手側の壁面に添った角度に曲がっている。【選択図】図１
0003155250.tif 000002
【実用新案登録請求の範囲】
【請求項１】
亜鉛メッキを施したる縦長の桟を以って格子状に組まれた枠で構成された器具であり、把手が取り付けられた枠の取り付け部分が卵焼き器の把手側の壁面に添った角度に曲げてなる事を特徴とする卵焼き器補助具。
【請求項２】
前記桟の先端近傍の該桟に直角方向の横桟を設けたことを特徴とする請求項１記載の卵焼き器補助具。
【考案の詳細な説明】
【技術分野】
【０００１】本考案は卵焼き器補助具に関するものである。
【背景技術】
【０００２】従来卵焼きは日本の伝統的な料理のひとつとして料理人または各家庭に於て広く知られている。
【考案の開示】
【考案が解決しようとする課題】従来卵焼きの裏側を焼く場合うすいため非常に困難であったまた技術も要した。
【議題を解決するための手段】
【０００３】本考案は上記の課題を解決するため亜鉛メッキを施した枠桟を以って、補助具を作りこれを従来の卵焼き器具に重ね裏返すことを特徴とする器具である。
【０００４】本考案はきわめて安値で生産、販売することが出来るのである。しかも誰にでも簡単に使用することが出来るので家庭料理において大いに役立つものである。
【考案を実施するための形態】
【０００５】図１は申請補助器本体の斜視図である。１はメッキを施した縦長の桟。２は把手。３は先端近傍の桟に直角方向に設けた横桟。図２（イ）は卵の素地を流し込み申請本体を重ねた図である。４は把手。５は卵の素地。６は申請本体。図２（ロ）は図（イ）を裏返した図である。７は取り付部分。８は卵焼き器の把手側の壁面。図２（ハ）は申請本体に片方を焼いた卵の素地が乗っている状態の図である。６は申請本体。５は片方を焼いた素地。図２（ニ）は片方を焼いた卵の素地をスライドさせた図である。８は卵焼き器の把手側の壁面。
【図面の簡単な説明】
【０００６】
【図１】本考案の依る卵焼き器補助具の斜視図
【図２】本考案の断面図であり又本考案に依る卵焼き器補助具の使用手順を示す図面である。
【符号の説明】
【０００７】１    本考案の卵焼き器補助具に係る
２    把手
３    直角方向に設けた横桟
４    卵焼き器の把手
５    たまごの素地
６    本考案の卵焼き器補助具
７    取り付け部分
８    卵焼き器の把手側の壁面
【図１】
0003155250.tif 000003
【図２】
0003155250.tif 000004
(57)【要約】      （修正有）【課題】同室で複数で一緒に睡眠する時、イヤホーンなしでも他人に迷惑をかけないで、ラジカセを一人で聞けるラジカセまくらを提供する。【解決手段】寝具用のまくら本体の構造をボックス形態で引出し構造に構成し、ラジカセを引出しの中にセットする。【選択図】図５
0003155228.tif 000002
【実用新案登録請求の範囲】
【請求項１】
寝具用の、まくら本体の構造を、ボックス形態に設け、その内部に物を出し入れ容易な引出しを構成した、ラジカセまくら。
【考案の詳細な説明】
【技術分野】
【０００１】  この考案は、ベット又はふとんで、まくらをして寝ながら、イヤホーンなしでも、隣の人に音響の迷惑をかけないで、ラジカセを一人聞ける、ラジカセまくらである。
【背景技術】
【０００２】  従来は、イヤホーンを耳に差し込んで聞いていた。
【考案の開示】
【考案が解決しようとする課題】
【０００３】  そのため次のような問題点があった。
イヤホーンを耳に差し込むと、仰向けで、上を向いたままで、左右自由に横寝が不便不都合であった。そのため工夫をしたものである。
【課題を解決するための手段】
【０００４】  寝具用のまくら本体の構造を、ボックス形態で引出構造に構成し、ラジカセを引出しの中にセットして、微音で自分しか聞こえないラジカセまくらである。
【考案の効果】
【０００５】  夫婦２人一室で並んで寝ても、相手には迷惑くをかけないで一人で聞ける。
特に病気で入院中の患者が数人部屋の病室で使用すると効果がよく分かるラジカセまくらである。
【考案を実施するための最良の形態】
【０００６】  以下本考案の実施の形態について説明する。
（イ）引出しボックス本体（１）に、通気孔（４）を設け、引出し（２）を構成する。
（ロ）帯状長尺弾性マット（５）を、引出しボックス本体（１）に好みの高さに巻き包む。
（ハ）表面にタオル（７）を敷きあてる。
（ホ）引出し（２）の中にラジカセをセットして他人には聞こえないで自分だけ楽しめるのである。
【図面の簡単な説明】
【０００７】
【図１】  本考案の引出しボックス（１）と引出し（２）の斜視図
【図２】  本考案の帯状長尺弾性マット（５）を広げた状態の斜視図
【図３】  本考案のラジカセまくらの表面に敷きあてる、タオル（７）を示す
【図４】  本考案の側面図
【図５】  本考案の斜視図で引出し状態も示す
【符号の説明】
【０００８】  １  引出しボックス本体
２  引出し
３  引手
４  通気孔
５  帯状長尺弾性マット
６  通音孔
７  タオル
【図１】
0003155228.tif 000003
【図２】
0003155228.tif 000004
【図３】
0003155228.tif 000005
【図４】
0003155228.tif 000006
【図５】
0003155228.tif 000007
(57)【要約】      （修正有） 【課題】上衣のせり上がりと下衣のずり下がりを防止する器具を提供する。【解決手段】上衣と一体となった裾の保持具部を、上下衣の最適着衣状態を保持する頭部と、ほぼ平面の人体接触面側の胴部と、前記頭部と胴部をつなぎ括れとなる頸部からなる本体に、上衣の表面側から前記本体の頭部をくぐらせて頸部で緊結することにより、上衣膨出部を形成し保定する緊結部材とからなる。【選択図】図２
0003155230.tif 000002
【実用新案登録請求の範囲】
【請求項１】
上衣の裾部を下衣にたくし入れて着用する上下衣の最適着衣状態を保持する器具であって、上衣裾の裏面に保持具を押し当てて膨出部を環状ゴムで緊結し、下衣の中にたくし入れた上衣と一体となった裾の保持具部が、ベルト部分を通過できずに留まる上下衣の最適着衣状態を保持する頭部と、ほぼ平面の人体接触面側の胴部と、前記頭部と胴部をつなぎ括れとなる頸部からなる本体に、上衣の表面側から前記本体の頭部をくぐらせて頸部で緊結することにより、上衣膨出部を形成し保定する緊結部材とからなる、上下衣の最適着衣状態を保持する器具。
【請求項２】
本体の頭部が下衣ベルト部に当接する直線部近傍で最も厚く、該直線部から離れるに従って薄くなる傾斜面を有していることを特徴とする請求項１に記載の上下衣の最適着衣状態を保持する器具。
【請求項３】
緊結部材が環状ゴムである請求項１〜２に記載の上下衣の最適着衣状態を保持する器具。
【考案の詳細な説明】
【技術分野】
【０００１】
本考案は、上衣のせり上がりと下衣のずり下がりを防止する、最適着衣状態を保持する器具に関するものである。
【背景技術】
【０００２】
従来形式のサスペンダーは着用に際して面倒であることと、トイレでの用足し（大便等）の都度、上着の脱ぎ着やサスペンダー留め具の脱着において非常に煩わしい思いをしている。また、紐状のものを肩から吊っているため、使用における肩への負担や上着を脱いだとき目立ちやすいため抵抗感があった。
【先行技術文献】
【特許文献】
【０００３】
【特許文献１】特開２００２−２２３８１５
【特許文献２】特開２００５−５４３４３
【特許文献３】特開平8−３５１０９
【考案の概要】
【考案が解決しようとする課題】
【０００４】
肥満体型、あるいは痩身体型においても活発な行動により、上衣のせり上がりや下衣のずり下がる現象が起き、そのため不快な思いをしている。
【課題を解決するための手段】
【０００５】
上衣の裾部を下衣にたくし入れて着用する上下衣の最適着衣状態を保持する器具であって、上衣裾の裏面に保持具を押し当てて膨出部を環状ゴムで緊結し、下衣の中にたくし入れた上衣と一体となった裾の保持具部が、ベルト部分を通過できずに留まる頭部と、ほぼ平面の人体接触面側の胴部と、前記頭部と胴部をつなぎ括れとなる頸部からなる本体に、上衣の表面側から前記本体の頭部をくぐらせて頸部で緊結することにより、上衣膨出部を形成し保定する緊結部材とからなることを特徴とする。
【０００６】
図３は頭部・胴部・頸部形状が四角の相似形で、着衣状態におけるベルトに対する保持具上面の当接面を最大にして、保持具がベルトを通過しにくいことと、図２の７部分の延長した胴部が着衣状態におけるころび止め効果をもたせ安定を図ることを特徴とする。
【０００７】
図５は頭部・胴部・頸部形状が丸の相似形で、上衣裾に膨出部を緊結する図４の環状ゴムの脱着が容易なことを特徴とする。
【考案の効果】
【０００８】
本考案は簡便に上衣のせり上がりと同時に下衣のずり下がりが防止され、外見からは着用していることが分からない、また、用足し（大便等）の際に器具の脱着が不要なため煩わしさがなく快適で便利である。
【図面の簡単な説明】
【０００９】
【図１】最適着衣保持具と上衣と下衣・ベルトの関係を示す全体側面図である。
【図２】図１における６−６断面詳細図である。
【図３】最適着衣保持具の角形状の斜視図である。
【図４】環状ゴムの斜視図である。
【図５】最適着衣保持具の角形状以外（丸形）の一例である。
【考案を実施するための形態】
【００１０】
上衣と一体の保持具がベルト部分を通過できずに留まるという目的を、断面形状の工夫と可動部分等のない形状・部品構成で、簡便さと耐久性を考慮し実現した。  
【実施例】
【００１１】
以下、添付図面に従って実施例を説明する。以下の説明では「上衣」としてシャツ、「下衣」としてズボンを用いている。
【００１２】
図1はシャツ１の裾へ保持具２をベルト４の下端位置に裏面からシャツに押し当てて膨出部を環状ゴム３で、正面２カ所と背面２カ所の計４カ所に緊結する。ズボン５をはきベルト４を締めることにより、ズボンの中にたくし入れたシャツと一体となった保持具２はベルト４より上に上がらないため、ズボンのずり下がりと同時にシャツのせり上がりを防止することが出来る。
【００１３】
図２は図１における６−６断面詳細図で、シャツと一体の保持具がズボンのベルト部を通過できずに留まっている最適着衣状態を示す。７の部分は保持具の安定を図るもので、人体接触面の胴部を下方に延長し転び止め効果を持たせているものである。
【符号の説明】
【００１４】
１  シャツ
２  最適着衣保持具
３  環状ゴム
４  ベルト
５  ズボン
６−６  断面個所
７  転び止め
【図１】
0003155230.tif 000003
【図２】
0003155230.tif 000004
【図３】
0003155230.tif 000005
【図４】
0003155230.tif 000006
【図５】
0003155230.tif 000007
【手続補正書】
【提出日】平成21年9月2日(2009.9.2)
【手続補正１】
【補正対象書類名】実用新案登録請求の範囲
【補正対象項目名】請求項３
【補正方法】変更
【補正の内容】
【請求項３】
緊結部材が環状ゴムである請求項１または２に記載の上下衣の最適着衣状態を保持する器具。
(57)【要約】      （修正有） 【課題】ストマ施術者に対し、パウチによる不快感、尿や便の排出時の不便・不都合を緩和・改善し、畜尿・畜便の加重によるパウチの剥離を防止し、パウチの吸着力の持続性の強化に繋がる利便性の高い快適な下着を提供する。【解決手段】一般用下着のストマ施術位置に、パウチを下着の外に出すための開口部を設けパウチによる不快感、尿・便排出時の不便・不都合を緩和・改善し、更には、開口部に、下着の外に出したパウチを覆い、便・尿の増加に対応可能なタックをとり増加によるパウチの剥離を防止・補強するため、下部に設けた尿・便の排出口以外を本体に縫い付けた。【選択図】図２
0003155294.tif 000002
【実用新案登録請求の範囲】
【請求項１】
ストマに付けた蓄尿・畜便用のパウチを下着の外に出すための開口部を設けたことを特徴とするストマ施術者用下着
【請求項２】
ストマに付けた蓄尿・畜便用のパウチを下着の外に出すための開口部を設け、その開口部に尿・便の増加に対応可能なタックと尿・便の排出口を設けたカバーを縫いつけ、畜尿・蓄便の加重によるパウチの剥離を防止し、パウチの吸着力の持続性を強化したことを特徴とするストマ施術者用下着
【考案の詳細な説明】
【技術分野】
【０００１】
この考案は、ストマ施術者用の下着の形状に関するものである。
【背景技術】
【０００２】
近年、癌による死亡が死因のトップに挙げられており、中でも、大腸癌・直腸・膀胱癌は増加の傾向にあるとみられる。これに伴い、人工膀胱・人工肛門のストマ施術者も増えつつあり、専用トイレの設置他、社会的配慮改善が施術者本人・関係者団体において叫ばれている。
その１つとして衣類、特に下着が挙げられる。これまで、ストマ施術者に対応した下着はなく一般用下着を着用のため、ストマに付けた蓄尿・畜便のためのパウチ(ビニール製)を下着の中に納めておく形となり、パウチによる不快感、便や尿の排出時の不便・不都合を生じていた。
【考案の概要】
【考案が解決しようとする課題】
【０００３】
ストマ施術者に対し、一般用下着を着用した為に生じたパウチによる不快感、尿や便の排出時の不便・不都合を緩和・改善する。
更には、畜尿・蓄便の加重によるパウチの剥離を防止し、パウチの吸着力の持続性の強化に繋がる利便性の高い快適な下着を提供することを課題とする。
【課題を解決するための手段】
【０００４】
ストマ施術者に利便性の高い快適な下着を提供するために、一般用下着にパウチを下着の外に出すための開口部を設けた。
更には、その開口部にパウチを覆い補強するための、尿・便の増加にも対応可能なタックをとり、ゆとりをもたせ、下部に尿・便の排出口を設けたカバーを縫いつけた。
【考案の効果】
【０００５】
一般用下着に、パウチを下着の外に出すための開口部を設けたことにより、パウチによる不快感が緩和され、又、尿・便の排出が容易になった。
更には、カバーを縫いつけることにより、尿・便の増化に伴うパウチの剥離を防止し、パウチの吸着力の持続性を高めることができた。
【図面の簡単な説明】
【０００６】
【図１】一般用下着にパウチを下着の外に出すための開口部を設けたストマ施術者用下着の正面図である。
【図２】図1の開口部に尿・便の増加に対応可能なタックと尿・便の排出口を設けたカバーを縫い付けたストマ施術者用下着の正面図である。
【図３】図１に示したストマ施術者用下着の着用例である。
【図４】図２に示したストマ施術者用下着の着用例である。
【考案を実施するための形態】
【０００７】
着用例図３に示したストマ施術者用下着は、ストマに付けたパウチによる不快感、排出時の不便・不都合を緩和・改善するために、パウチを下着の外に出すための開口部をストマ施術位置に設けた。
着用例図４に示したストマ施術者用下着は、開口部より出したパウチを覆い、尿・便の増加にも対応可能なタックをと尿・便の排出口を設けたカバーを縫いつけた。
【符号の説明】
【０００８】
1  下着本体
2  開口部（ストマ施術位置）
3  カバー
4  排出口
5  パウチ
【図１】
0003155294.tif 000003
【図２】
0003155294.tif 000004
【図３】
0003155294.tif 000005
【図４】
0003155294.tif 000006
(57)【要約】      （修正有） 【課題】長期間にわたり刃先の鋭利性が低下することがなく、安定した切れ味を持続し続けるバリ取り工具を提供する。【解決手段】バリ取り工具の先端部として、高硬度で耐摩耗性に富む焼結ダイヤモンド１を、固定部２に接着あるいは銀ロー付けにより結合して、一体化する。シャンク３の一端に雌ネジ４を穿ち、固定部２の一端に加工した雄ネジ５をねじ込んで、固定部２とシャンク３を組み合せる。【選択図】図１
0003155205.tif 000002
【実用新案登録請求の範囲】
【請求項１】
先端部を焼結ダイヤモンドで構成し、先端チップを複数の形状及び角度を変え取替え可能に構成したバリ取り工具。
【請求項２】
先端形状をねじ込み着脱式にして先端チップを機能的に取替えるようにした請求項1に記載のバリ取り工具。
【考案の詳細な説明】
【技術分野】
【０００１】
バリ取り工具の先端を焼結ダイヤモンドにした改良に関するものである。
【背景技術】
【０００２】
従来のバリ取り工具の先端は主として粉末高速度鋼または超硬合金などの高硬度の素材で形成されていた。しかし従来のバリ取り工具は、被加工材の素材次第では先端の鋭利性が短期間で磨耗し、逆に返りバリが生じ再研磨や交換を必要としていた。
【考案の開示】
【考案が解決しようとする課題】
【０００３】
上記した従来の問題点を解決して、長期間にわたり刃先の鋭利性が低下することなく色々な形状及び角度のバリ取り作業を行うことができ再研磨や刃物の交換の頻度を大幅に減らすことができるバリ取り工具を提供するためになされたものである。
【課題を解決するための手段】
【０００４】
先端部を焼結ダイヤモンドに構成を変えたことを特徴とする。
【０００５】
先端の形状は被加工材の形状に合わせて切り刃の幅や形状、角度を変えて製作することができる。
【０００６】
先端をねじ込み式とし、取替えが容易にできるようにした。
【考案の効果】
【０００７】
先端部を焼結ダイヤモンドに変えたものであり、高硬度・耐摩耗性に非常に優れた超寿命のバリ取り工具であるとともに、先端形状をねじ込み着脱式にしたことにより先端部の取替え変更が可能になった。
【図面の簡単な説明】
【０００８】
【図１】本考案を全体図と斜視図によって示したもの
【考案を実施するための形態】
【０００９】
図１で１は焼結ダイヤモンドを示し、２の固定部に接着、または銀ロー付けをし、３のシャンクに取り付ける。
【実施例】
【００１０】
図示の実施例によって更に詳細に説明する。
１の焼結ダイヤモンドと２の固定部を接着により結合をし、４と５の雌ネジ、雄ネジで３のシャンクに取り付ける。焼結ダイヤモンド部の先端形状はバリ取りを行う被加工材に合わせて１と同形状のストレート加工、６のテーパー加工を実施する。
【００１１】
実施するにあたり、この説明、手順に限定されるものではない。
【産業上の利用可能性】
【００１２】
バリ取り工具は、機械加工時、各種金型製作・組み付け調整時、製造装置等の組み付け調整時でのバリ発生時、除去工具として利用可能である。
【符号の説明】
【００１３】
１  焼結ダイヤモンド(ストレート)
２  固定部
３  シャンク
４  タップ
５  ネジ
６  焼結ダイヤモンド(テーパー)
【図１】
0003155205.tif 000003
【手続補正書】
【提出日】平成21年9月2日(2009.9.2)
【手続補正１】
【補正対象書類名】実用新案登録請求の範囲
【補正対象項目名】請求項１
【補正方法】変更
【補正の内容】
【請求項１】
焼結ダイヤモンドで構成した先端チップとシャンクを着脱自在に構成したバリ取り工具
(57)【要約】      （修正有）【課題】容易な操作で制御でき、多彩な演出ができる波紋の装置を提供する。【解決手段】磁石と電線と、液体を入れた容器からなる。信号電流を流した電線を磁石に近づけることで起きる振動を水に伝えて波紋を生じさせる。【選択図】図１
0003155218.tif 000002
【実用新案登録請求の範囲】
【請求項１】
磁石と、円筒形に巻いたコイルと、水（その他の液体も含む）を入れた容器とにより構成されており、信号電流を流した円筒形に巻いたコイルを磁石に近づけることで起きる振動を水に伝えて波紋を生じさせる装置。
【請求項２】
前項の装置に生じる水の波紋に、下や上.斜めから光を照射することで波紋の動きが明瞭に見え、さらにその水に反射させたり透過させた光は、壁や天井や床などの広い範囲に波紋の陰影を映し出す効果をもたらす装置。
【考案の詳細な説明】
【技術分野】
【０００１】
本考案は、演出装置に関するものである。
【背景技術】
【０００２】
水の波紋を生かした演出装置は制御の方法が困難で単調である。
【考案の開示】
【考案が解決しようとする課題】
【０００３】
解決しようとする問題点は、水の波紋を生かした演出装置は、これまで単純な装置による単調なものであった。その制御を容易な操作で、より多彩な演出をすることを課題とする。
【課題を解決するための手段】
【０００４】
以上の課題を解決するために、第一考案は、磁石と円筒形に巻いたコイルを近づけ信号電流を流すことで振動を起こし、それを水に伝えることで水面に波紋を生じさせることである。その信号電流を制御することで、操作が容易で多彩な演出ができる。
また、第二考案は、前記の水の波紋に光を照射することで、より効果を明確に広範囲に発揮させる装置である。
【考案の効果】
【０００５】
第一考案、または第二考案によれば、オーディオ機器や楽器などで信号電流を制御することにより、制御が容易で、多彩な効果を作ることができ、音楽に同調した水の波紋も作ることができる。そこに光を照射し反射させたり、透過させることで、より広い壁や天井や床に波紋によるゆらぎの陰影を映し出すことができる。
【考案を実施するための最良の形態】
【０００６】
ゆらぎや動きを伴う演出効果という目的を、最小の部品点数で、複雑な装置を使うことなく実現した。
【実施例１】
【０００７】
この考案の一実施形態の断面を図１に示し、斜視図を図２に示す。
ドーナツ状の磁石２の中に、円筒形に巻いたコイル３と水を入れる容器５を固定したものを入れて、容器ごと液体を振動させて水面に波紋を生じさせる。そこに上から光源を水面に向けて照射し、光を反射させることができる。また、液体を入れる容器５が透明であれば、光源を容器の下に設置し、下から波紋が生じた液体を透過させて天井に照射することもできる。
【実施例２】
【０００８】
この考案の一般的なガラスの器で同様の効果を作る一実施形態の断面を図３に示す。
水を入れた容器が小さな場合には、円筒形に巻いたコイル３を下に入れて容器ごと振動させる。また容器が大きい場合は、コイルを水に入れて振動させ、水面に波紋を生じさせる。実例１と同様に、上から光源を水面に向けて照射し光を反射させることができ、また、水を入れる容器５が透明であれば、光源を容器の下に設置し、下から波紋が生じた水を透過させて天井に照射することもできる。
【産業上の利用可能性】
【０００９】
住宅、店舗、各種施設に効果的な演出を提供する。
【図面の簡単な説明】
【００１０】
【図１】この考案の一実施形態を示す断面図である。
【図２】この考案の一実施形態を示す斜視図である。
【図３】この考案の一実施形態を示す断面図である。
【符号の説明】
【００１１】
１    光源
２    磁石
３    円筒状に巻いたコイル
４    水（液体）
５    水（液体）をいれる容器
６    信号電流に接続
【図１】
0003155218.tif 000003
【図２】
0003155218.tif 000004
【図３】
0003155218.tif 000005
【手続補正書】
【提出日】平成21年8月21日(2009.8.21)
【手続補正１】
【補正対象書類名】実用新案登録請求の範囲
【補正対象項目名】請求項１
【補正方法】変更
【補正の内容】
【請求項１】
磁石と電線と、水やその他の液体を入れた容器とにより構成されており、信号電流を流した電線を磁石に近づけることで起きる振動を水に伝えて波紋を生じさせる装置。
【手続補正２】
【補正対象書類名】実用新案登録請求の範囲
【補正対象項目名】請求項２
【補正方法】変更
【補正の内容】
【請求項２】
請求項１に記載の装置の下や上に光源を設け、光を照射することで波紋の動きが明瞭に見え、さらにその液体に透過させたり反射させた光が壁や天井や床などの広い範囲に波紋の陰影を映し出す装置。
【手続補正３】
【補正対象書類名】明細書
【補正対象項目名】０００４
【補正方法】変更
【補正の内容】
【０００４】  以上の課題を解決するために、第一考案は、磁石と電線を近づけ信号電流を流すことで振動を起こし、それを水に伝えることで水面に波紋を生じさせることである。その信号電流を制御することで、操作が容易で多彩な演出ができる。また、第二考案は、前記の水の波紋に光を照射することで、より効果を明確に広範囲に発揮させる装置である。
【手続補正４】
【補正対象書類名】明細書
【補正対象項目名】０００７
【補正方法】変更
【補正の内容】
【０００７】  この考案の一実施形態の断面を図１に示し、斜視図を図２に示す。ドーナツ状の磁石２の中に、電線を円筒形に巻いたコイル３と水を入れる容器５を固定したものを入れて、容器ごと液体を振動させて水面に波紋を生じさせる。そこに上に光源を設け水面に向けて照射し、光を反射させることができる。また、液体を入れる容器５が透明であれば、光源を容器の下に設置し、下から波紋が生じた液体を透過させて天井に照射することもできる。
【手続補正５】
【補正対象書類名】明細書
【補正対象項目名】０００８
【補正方法】変更
【補正の内容】
【０００８】  この考案の一般的なガラスの器で同様の効果を作る一実施形態の断面を図３に示す。水を入れた容器が小さな場合には、電線を円筒形に巻いたコイル３を下に入れて容器ごと振動させる。また容器が大きい場合は、コイルを水に入れて振動させ、水面に波紋を生じさせる。実例１と同様に、上から光源を水面に向けて照射し光を反射させることができ、また、水を入れる容器５が透明であれば、光源を容器の下に設置し、下から波紋が生じた水を透過させて天井に照射することもできる。
(57)【要約】      （修正有）【課題】車の走行中にかかってきた電話に対して速やかに受け、安全に対処することができ、またそれに伴う煩わしさを解消するハンドフリー携帯電話用の子機を提供する。【解決手段】携帯電話に子機機能を装備して、その子機を車のシガーライター用挿入口に装着し子機の電源とすると同時に子機の固定にも利用し、またこの子機は電源用スイッチボタンと性能の良いマイク３と確りとした音量の出るスピーカー２と押せば受信スイッチ回せば音量調節ができるつまみ１を１個備えただけのものでよく、予め子機のスピーカーから出る音量を調節しておけば、車の走行中に電話がかかってきた時、子機のつまみを押してスイッチ４を入れるだけで子機による通話が可能となり、ハンドフリーで携帯電話の使用が可能になり、また車の乗り降りに際しても携帯電話の親機はポケットに入れたままで使用出来る等の機能と特徴を備え便利である。【選択図】図１
0003155219.tif 000002
【実用新案登録請求の範囲】
【請求項１】
電源用スイッチボタンと性能の良いマイクと確りとした音量の出るスピーカーと押せば受信スイッチ回せば音量調節になるつまみを１個だけ備え、車のシガーライター用挿入口への挿入部を持った携帯電話の子機であって、携帯電話には子機機能を装備しておけばよく、その携帯電話の子機をシガーライター用挿入口へ装着し子機の電源とすると同時に子機の固定にも利用し、予め子機のスピーカーから出る音量を調節しておくと、車の走行中に電話がかかってきた時、子機のつまみを押して受信スイッチを入れるだけで子機により通話が可能となり、スピーカーから相手の声が聞こえるのでハンドフリーで携帯電話の使用が可能になり、また車の乗り降りに際しても携帯電話の親機はポケットに入れたままで使用出来る等の機能と特徴を備えた携帯電話の子機。
【考案の詳細な説明】
【技術分野】
【０００１】
本考案は、携帯電話に子機機能を装備して、その子機を利用して車の走行中にかかってきた電話に対してハンドフリーで携帯電話の使用を容易に可能にするものである。
【背景技術】
【０００２】
従来は、車の走行中においてかかってきた電話を受けるためには、先ずポケットから携帯電話を取り出しスイッチを入れねばならない等、安全上色々問題が有って車の走行中の携帯電話の使用は禁止されているし、またハンドフリーで使用できる製品もあるが、これは携帯電話とコードで接続しておく必要があり、車の乗り降りのたびに接続したり切ったりしなければならずとても不便であり、また無線による製品もあるが、これはまた別無線用装置が必要であり、またマイク付きイヤホンを使用する場合はイヤホンを耳に差し込む必要もあり、これがまたなかなか煩わしいものである。
【考案の開示】
【考案が解決しようとする課題】
【０００３】
車の走行中にかかってきた電話に対して如何に速やかに受け、また安全に対処することが出来るか、またそれに伴う煩わしさをどう解消するかが課題であり、そして如何に安全性を確保し、単純明快に解決するかが問題である。
【課題を解決するための手段】
【０００４】
本考案は、携帯電話に子機機能を装備して、その子機の挿入部を車のシガーライター用挿入口に装着し、子機の電源とすると同時に子機の固定にも利用し、またこの子機は電源用スイッチボタンと性能の良いマイクと確りとした音量の出るスピーカーと押せば受信スイッチ回せば音量調節ができるつまみを１個備えただけの単純なものでよく、予め子機のスピーカーから出る音量を調節しておけば、車の走行中に電話がかかってきた時、子機のつまみを押して受信スイッチを入れるだけで子機により通話が可能となり、スピーカーから相手の声が聞こえるのでハンドフリーで携帯電話の使用が可能になる。むろん携帯電話の親機と子機の電源が入っていることが前提である。また車の乗り降りに際しても携帯電話の親機はポケットに入れたままで使用出来る等の機能と特徴を備えているので便利である。
【考案の効果】
【０００５】
車の走行中にかかってきた電話に対してただ子機のつまみを押し、受信スイッチを入れるだけでハンドフリーで相手と通話ができるので何も煩わしさはないし、また車の走行中にこちらから電話をかける事はしないので子機は受信が主体であるから、ダイヤルボタンは必要ないし、製品は簡単なものになり、また携帯電話の親機の方は従来通りの使用方法で良いので何も不便はないし、また携帯電話の子機機能については従来の普通電話の子機機能における技術を応用すれば済み、製品開発は容易に出来る事である。なお一層簡単明快で有効な方法は、この子機にも親機の携帯電話と同一の電話番号を持たせることが許されるならばそれが一番良いことであるが、そしてまたハンドル部分にリモートコントロール装置を設置し、そのボタンを押すと子機の受信スイッチが入るような機能を持ったものを取り付けておけば、携帯電話並びに子機の使用はますます簡単便利になり、安全面においても非常に有効な手段となる。
【考案を実施するための最良の形態】
【０００６】
携帯電話の子機は、車のシガーライター用挿入口への挿入部を持っている方が良いけれどダイヤルボタンは不要であり、性能の良いマイクと、スピーカーは確りとした音量の出るものが良い。
【実施例】
【０００７】
上記の記述内容を生かすべく下記の図１に基づいて実施される。
【図面の簡単な説明】
【０００８】
【図１】本考案の携帯電話の子機の効果を導くための作業図面である。
【符号の説明】
【０００９】
１  押せば受信スイッチ回せば音量調節のツマミ
２  確りとした音量の出るスピーカー
３  性能の良いマイク
４  電源用スイッチボタン
５  車のシガーライター用挿入口への挿入部
【図１】
0003155219.tif 000003
【手続補正書】
【提出日】平成21年8月27日(2009.8.27)
【手続補正１】
【補正対象書類名】実用新案登録請求の範囲
【補正対象項目名】全文
【補正方法】変更
【補正の内容】
【実用新案登録請求の範囲】
【請求項１】
電源用スイッチボタンと性能の良いマイクと確りとした音量の出るスピーカーと押せば受信スイッチ回せば音量調節になるつまみを１個だけ備え、車のシガーライター用挿入口への挿入部を持った携帯電話の子機であって、携帯電話には子機機能を装備しておけばよく、その携帯電話の子機をシガーライター用挿入口へ装着し子機の電源とすると同時に子機の固定にも利用し、予め子機のスピーカーから出る音量を調節しておくと、車の走行中に電話がかかってきた時、子機のつまみを押して受信スイッチを入れるだけで子機により通話が可能となり、スピーカーから相手の声が聞こえるのでハンドフリーで携帯電話の使用が可能になり、また車の乗り降りに際しても携帯電話の親機はポケットに入れたままで使用出来る機能と特徴を備えた携帯電話の子機を備えた携帯電話。